(57)【要約】【課題】本発明は、従来、バイオフィルムの除去に使用されている次亜塩素酸塩等の殺菌剤と異なり、十分な洗浄後のバイオフィルム形成防止作用を有すると共に、人体に安全で環境負荷も低い、洗浄後のバイオフィルム形成防止剤を提供すること、洗浄後のバイオフィルム形成防止と洗浄とを同時に行えることから、便利であると同時に、手入れの忘却を防ぎ、バイオフィルムによる微生物害を未然に防止し得る、洗浄後のバイオフィルム形成防止剤含有洗浄用組成物を提供すること、を目的とする。【解決手段】洗浄後のバイオフィルム形成を防止するためのバイオフィルム形成防止剤であって、ソホロースリピッドを含有する、バイオフィルム形成防止剤、及び、上記のバイオフィルム形成防止剤を含有する、洗浄用組成物により解決する。【選択図】なし【特許請求の範囲】
【請求項１】
洗浄後のバイオフィルム形成を防止するためのバイオフィルム形成防止剤であって、
ソホロースリピッドを含有する、バイオフィルム形成防止剤。
【請求項２】
前記ソホロースリピッドの２０重量％以上８０重量％以下がラクトン型のソホロースリピッドである、請求項１に記載のバイオフィルム形成防止剤。
【請求項３】
洗浄後のバイオフィルム形成を防止するための洗浄用組成物であって、
請求項１又は２に記載のバイオフィルム形成防止剤を含有する、洗浄用組成物。
【請求項４】
前記ソホロースリピッドの含有量が０．０５〜１０．０重量％である、請求項３に記載の洗浄用組成物。
【請求項５】
洗浄後のバイオフィルム形成を防止する方法であって、
ソホロースリピッドを含有する洗浄用組成物を用いて洗浄する工程を含む、バイオフィルム形成防止方法。
【請求項６】
前記ソホロースリピッドの２０重量％以上８０重量％以下がラクトン型のソホロースリピッドである、請求項５に記載のバイオフィルム形成防止方法。
【請求項７】
前記ソホロースリピッドの含有量が０．０５〜１０．０重量％である、請求項５又は６に記載のバイオフィルム形成防止方法。
【発明の詳細な説明】
【技術分野】
【０００１】
本発明は、洗浄後のバイオフィルム形成を防止するためのバイオフィルム形成防止剤、該剤を含有する洗浄用組成物、及び、洗浄後のバイオフィルム形成を防止する方法に関する。
【背景技術】
【０００２】
バイオフィルムは、固体の表面に緑膿菌等の微生物と微生物が産生する菌体外多糖等の生産物が集まって形成された構造体である。バイオフィルムにおいて、微生物は、自己が産生する菌体外多糖等の生産物からなる細胞外マトリックスに埋め込まれている。バイオフィルムは、水分があり微生物が増殖し易い場所であれば、どんな場所でも生じ得るので、様々な場所で微生物による害を引き起こす。例えば、家庭では、台所のシンク、調理場、洗面台、洗濯槽、浴室、便器、排水溝、排水管等の水まわりでバイオフィルムが形成されてヌメリや悪臭の原因となり、ひどい場合には、排水溝や排水管の詰まりの原因となる。また、食器、調理器具、洗浄道具等の水まわりで使用するものにバイオフィルムが形成されると、衛生が損なわれ食中毒等の微生物汚染の原因となる。水を使用する工場プラントでは、形成されるバイオフィルムが製品の微生物汚染、金属腐食による設備劣化の原因となる。病院では、医療器具に形成されるバイオフィルムが院内感染の原因となる。
【０００３】
このような微生物による害を引き起こすバイオフィルムを除去するために、従来は、次亜塩素酸塩等の殺菌剤を使用していたが、効果は不十分であった。その理由は、前述のように、バイオフィルムにおいては、微生物は、自己が産生する菌体外多糖等の生産物からなる細胞外マトリックスに埋め込まれていて、殺菌剤から保護されるためである。また、次亜塩素酸塩は、皮膚や粘膜につかないように注意する必要がある等、人体に安全とは言い難く、環境に対する負荷も高い。
【０００４】
家庭の水まわり、水まわりで使用するもの、水を使用する工場プラントの衛生的な使用のためには、上述したバイオフィルムの除去に加えて、洗浄が必要となるが、従来、両者は次亜塩素酸塩等の殺菌剤と、洗浄剤とにより別々に行われていた。しかしながら、両者を別々に行うことは、手間がかかり不便であると同時に、手入れの忘却を招来し、バイオフィルムによる微生物害を招く原因となる。従って、両者を同時に行えると便利であると同時に、手入れの忘却を防ぎ、バイオフィルムによる微生物害を未然に防止し得る。特に、食器、調理器具、洗浄道具等の家庭の水まわりで日々洗浄するものの洗浄剤で洗浄後のバイオフィルム形成防止も同時に行えると、別途殺菌剤で水まわりや水まわりで使用するもののバイオフィルム除去を行う必要がなくなり、大変便利であると同時に、手入れの忘却を防ぎ、水まわりのヌメリや悪臭、排水溝や排水管の詰まりを未然に防止し得ると共に、水まわりで使用するものの洗浄後の衛生も保ち得る。しかしながら、このように洗浄後のバイオフィルム形成防止と洗浄とを同時に行うという考えは現状では見られない。
【０００５】
ソホロースリピッドについては、人体に安全に使用し得、また、生分解性に優れ環境負荷も低い洗浄剤として知られている（特許文献１、２）。しかしながら、ソホロースリピッドが洗浄後のバイオフィルム形成防止作用を有することは知られていない。
【先行技術文献】
【特許文献】
【０００６】
【特許文献１】特開２００３-１３０９３号公報
【特許文献２】特開２０１７-１３７２４２号公報
【発明の概要】
【発明が解決しようとする課題】
【０００７】
本発明は、従来、バイオフィルムの除去に使用されている次亜塩素酸塩等の殺菌剤と異なり、十分な洗浄後のバイオフィルム形成防止作用を有すると共に、人体に安全で環境負荷も低い、洗浄後のバイオフィルム形成防止剤を提供することを目的とする。
【０００８】
また、本発明は、洗浄後のバイオフィルム形成防止と洗浄とを同時に行えることから、便利であると同時に、手入れの忘却を防ぎ、バイオフィルムによる微生物害を未然に防止し得る、洗浄後のバイオフィルム形成防止剤含有洗浄用組成物を提供することを目的とする。
【課題を解決するための手段】
【０００９】
発明者らは、十分な洗浄後のバイオフィルム形成防止作用を有すると共に、人体に安全で環境負荷も低い物質を種々探索したところ、ソホロースリピッドがこれらの要件を全て満たすことを見出した。また、ソホロースリピッドは洗浄作用も有することから、これにより洗浄後のバイオフィルム形成防止と洗浄とを同時に行えることも見出した。
【００１０】
すなわち、本発明は、洗浄後のバイオフィルム形成を防止するためのバイオフィルム形成防止剤であって、ソホロースリピッドを含有する、バイオフィルム形成防止剤を提供するものである。
【００１１】
この発明の好ましい態様によれば、上記のソホロースリピッドの２０重量％以上８０重量％以下がラクトン型のソホロースリピッドである、上記のバイオフィルム形成防止剤が提供される。
【００１２】
また、本発明は、洗浄後のバイオフィルム形成を防止するための洗浄用組成物であって、上記のバイオフィルム形成防止剤を含有する、洗浄用組成物を提供するものである。
【００１３】
この発明の好ましい態様によれば、上記のソホロースリピッドの含有量が０．０５〜１０．０重量％である、上記の洗浄用組成物が提供される。
【００１４】
さらに、本発明は、洗浄後のバイオフィルム形成を防止する方法であって、ソホロースリピッドを含有する洗浄用組成物を用いて洗浄する工程を含む、バイオフィルム形成防止方法を提供するものである。
【００１５】
この発明の好ましい態様によれば、上記のソホロースリピッドの２０重量％以上８０重量％以下がラクトン型のソホロースリピッドである、上記のバイオフィルム形成防止方法；上記のソホロースリピッドの含有量が０．０５〜１０．０重量％である、上記のバイオフィルム形成防止方法が提供される。
【発明の効果】
【００１６】
本発明の洗浄後のバイオフィルム形成防止剤は、洗浄後のバイオフィルムの形成を十分に防止し得ると共に、人体に安全で環境負荷も低い。
【００１７】
また、本発明の洗浄後のバイオフィルム形成防止剤は、洗浄作用も有しており、洗浄用組成物に含有させると洗浄後のバイオフィルム形成防止と洗浄とを同時に行えることから、便利であると同時に、手入れの忘却を防ぎ、バイオフィルムによる微生物害を未然に防止し得る。
【００１８】
特に、食器、調理器具、洗浄道具等の家庭の水まわりで日々洗浄するものの洗浄用組成物に含有させると、洗浄後のバイオフィルム形成防止と洗浄とを同時に行えることから、別途殺菌剤で水まわりや水まわりで使用するもののバイオフィルム除去を行う必要がなくなり、大変便利であると同時に、手入れの忘却を防ぎ、水まわりのヌメリや悪臭、排水溝や排水管の詰まりを未然に防止し得ると共に、水まわりで使用するものの洗浄後の衛生も保ち得る。
【発明を実施するための形態】
【００１９】
本実施形態において、ソホロースリピッドは、洗浄後のバイオフィルム形成防止作用を奏する。また、人体に安全で環境負荷も低い。さらに、洗浄作用を有することから、洗浄後のバイオフィルム形成防止剤含有洗浄用組成物にも好適に配合される。
【００２０】
ソホロースリピッドの構造を下記に示す。ソホロースリピッドは、グルコース２量体のソホロースとヒドロキシ脂肪酸とが結合した糖脂質である。ソホロースリピッドは、ヒドロキシ脂肪酸のカルボキシル基が遊離した酸型と、このカルボキシ基が分子内のソホロースのヒドロキシ基に結合したラクトン型との混合物である。ソホロースのヒドロキシ基の一部はアセチル化されていてもよい。
【００２１】
【化１】
2020105246.tif 000002
【００２２】
本実施形態において、好ましくは、ソホロースリピッドの２０重量％以上８０重量％以下がラクトン型のソホロースリピッドである。より好ましくは、ソホロースリピッドの４０重量％以上８０重量％以下、さらに好ましくは、ソホロースリピッドの６０重量％以上８０重量％以下が、ラクトン型のソホロースリピッドである。ラクトン型のソホロースリピッドを上記の範囲内にすることにより、洗浄後のバイオフィルム形成防止作用が向上するのみならず、液性の安定性も増し、濁りや分離が生じにくくなるため、好ましい。
【００２３】
本実施形態に係る洗浄後のバイオフィルム形成防止剤、及び、洗浄後のバイオフィルム形成防止剤含有洗浄用組成物におけるソホロースリピッドの含有量は、洗浄後のバイオフィルム形成防止作用、及び、洗浄力の観点から、好ましくは、０．０５〜１０．０重量％であり、さらに好ましくは、０．０５〜５重量％である。
【００２４】
本実施形態に係る洗浄後のバイオフィルム形成防止剤、及び、洗浄後のバイオフィルム形成防止剤含有洗浄用組成物は、ソホロースリピッド以外の成分として、本発明の洗浄後のバイオフィルム形成防止作用、洗浄作用を妨げない限りにおいて、洗浄後のバイオフィルム形成防止剤、及び、洗浄用組成物に一般的に含有される成分を含有し得る。
【００２５】
洗浄後のバイオフィルム形成防止剤含有洗浄用組成物に含有し得る成分として、洗浄用組成物に一般的に含有される成分、例えば、アルキル硫酸塩系界面活性剤、ベタイン系界面活性剤、アルキルエーテル硫酸エステル塩系界面活性剤、アルキルアミンオキシド系界面活性剤、脂肪酸塩系界面活性剤、等の界面活性剤、エタノール等の可溶化剤、粘度調節剤、ｐＨ調節剤、除菌剤、防腐剤、香料、水等の溶剤等が挙げられる。
【００２６】
各成分の含有量としては、アルキル硫酸塩系界面活性剤、ベタイン系界面活性剤は０．１〜５．０重量％、アルキルエーテル硫酸エステル塩系界面活性剤、アルキルアミンオキシド系界面活性剤は５．０〜２０．０重量％、エタノール等の可溶化剤、粘度調節剤は１．０〜５．０重量％、ｐＨ調節剤は０．５〜１．０重量％、脂肪酸塩系界面活性剤、除菌剤、防腐剤、香料は０．５重量％以下が好ましく、残部は水等の溶剤である。
【００２７】
本実施形態に係る洗浄後のバイオフィルム形成防止剤は、任意の洗浄が必要な場所に生じるバイオフィルムの形成防止に使用し得るが、好ましくは、台所のシンク、調理場、洗面台、洗濯槽、浴室、便器、排水溝、排水管等の家庭の水まわり、食器、調理器具、洗浄道具等の家庭の水まわりで使用するもの、に形成されるバイオフィルムの形成防止に使用し得る。
【００２８】
本実施形態に係る洗浄後のバイオフィルム形成防止剤を含有する洗浄用組成物は、洗浄後のバイオフィルム形成防止及び洗浄が必要な任意の場面で使用し得るが、好ましくは、台所のシンク、調理場、洗面台、洗濯槽、浴室、便器、排水溝、排水管等の家庭の水まわり、食器、調理器具、洗浄道具等の家庭の水まわりで使用するもの、に対して、洗浄後のバイオフィルム形成防止及び洗浄のために使用し得る。係る実施形態により、洗浄後のバイオフィルム形成防止と洗浄とを同時に行えることから、便利であると同時に、手入れの忘却を防ぎ、バイオフィルムによる微生物害を未然に防止し得る。
【００２９】
本実施形態に係る洗浄後のバイオフィルム形成防止剤を含有する洗浄用組成物は、さらに好ましくは、食器、調理器具、洗浄道具等の家庭の水まわりで日々洗浄するものに対して使用すると、洗浄後のバイオフィルム形成防止と洗浄とを同時に行えることから、別途殺菌剤で水まわりや水まわりで使用するもののバイオフィルム除去を行う必要がなくなり、大変便利であると同時に、手入れの忘却を防ぎ、水まわりのヌメリや悪臭、排水溝や排水管の詰まりを未然に防止し得ると共に、水まわりで使用するものの洗浄後の衛生も保ち得る。
【００３０】
本実施形態に係る洗浄後のバイオフィルム形成防止剤を含有する洗浄用組成物の使用方法は、一般的な洗浄用組成物と同じで、手洗いや食器洗浄器による食器洗浄等に使用できる。洗浄後は、通常行うように、自然乾燥、水拭き、乾拭き等を行ってもよい。
【実施例】
【００３１】
１．製造例
（１）食器用洗剤の調製
下記表１に示す配合で、ソホロースリピッド配合食器用洗剤（実施例１）を調製した。また、比較例として、ソホロースリピッド未配合食器用洗剤（比較例１）を調製した。さらに、除菌効果を謳っている各種市販品食器用洗剤（比較例２〜４）の成分表を表２〜表４に示す。
【００３２】
【表１】
2020105246.tif 000003
【００３３】
【表２】
2020105246.tif 000004
【００３４】
【表３】
2020105246.tif 000005
【００３５】
【表４】
2020105246.tif 000006
【００３６】
２．洗浄後のバイオフィルム形成防止作用の確認試験
（１）試験の概要
ソホロースリピッド配合食器用洗剤（実施例１）、ソホロースリピッド未配合食器用洗剤（比較例１）及び、各種市販品洗剤（比較例２〜４）による緑膿菌バイオフィルム（BF）に対する形成防止作用について、96穴プレートを用いたCV染色法による評価で検証を行った。
【００３７】
(２)試験菌
Pseudomonas aeruginosa NBRC 13275 （緑膿菌）
【００３８】
(３)試験方法
(３−１)試験品浸漬処理表面でのBF形成の確認試験
(a)試験品によるマイクロプレートの表面処理
試験品は滅菌精製水を用いて規定濃度に調製し、各試験品に付き96穴マイクロプレートの縦列（8 穴）に300μlずつ添加した。これを室温で3時間静置した後、試験品を吸引装置により回収し、更に滅菌精製水を加えて吸引することで洗浄を行い、これを3回繰り返した。室温で乾燥させたものを、表面処理済みマイクロプレートとした。
【００３９】
(b)表面処理マイクロプレートでのBF形成
被検菌株は凍結保存品を復元し、SCD寒天培地による24 時間の前培養後に滅菌生理食塩水で106〜107cfu/mLオーダーとなるように調製した。これを1.0×106cfu/mLオーダーとなるように原倍濃度のトリプトソイブロス（TSB）で希釈し、菌添加済みTSBとした。これを表面処理済みマイクロプレートの穴に200μlずつ添加し、フタをして35℃の恒温器内で24時間の培養を行い、BF形成させた。
【００４０】
(c)CV染色法によるBFの染色・抽出
BF形成プレートについて、各穴から培地および増殖菌の浮遊部分を吸引装置により回収し、更に滅菌精製水を加えて吸引することで洗浄し、これを2 回繰り返した後、室温で十分に乾燥させた。乾燥後のプレートについて、各穴に0.1%（w/v）クリスタルバイオレット（CV）水溶液220μlを添加して、形成したBFを染色した。15分静置後に吸引して除去し、滅菌精製水で2回洗浄して十分に乾燥させた後、99.5％エタノールを250μl添加して残留したCVを抽出し、各穴から新たなマイクロプレートに抽出液を200μlずつ回収し、マイクロプレートリーダーによる測定に供した。
【００４１】
(４)試験結果
(４−１)試験品浸漬処理表面での BF 形成の確認試験
試験品を浸漬することで表面処理した96穴マイクロプレートに形成したBFのCV 染色試験結果を表５及び表６に示す。
【００４２】
なお、BF形成防止効果については滅菌精製水添加区での値と各試験品での値との比較からBF形成防止率（％）={1-(検体の吸光度平均/滅菌精製水の吸光度平均)}×100を算出して評価した。
【００４３】
ソホロースリピッド配合食器用洗剤（実施例１）は、洗浄後のバイオフィルム形成防止作用を示した一方、ソホロースリピッド未配合食器用洗剤（比較例１）は、洗浄後のバイオフィルム形成防止作用を示さなかったことから、ソホロースリピッドが洗浄後のバイオフィルム形成防止作用を有することが確認された。なお、除菌効果を謳っている市販品食器用洗剤（比較例２〜４）は洗浄後のバイオフィルム形成防止作用がみられなかった。
【００４４】
【表５】
2020105246.tif 000007
【００４５】
【表６】
2020105246.tif 000008